(57)【特許請求の範囲】
【請求項１】
透明絶縁部材と、前記透明絶縁部材の第１の面上に位置する第１電極層と、前記透明絶縁部材の前記第１の面と対向する第２の面上に位置する第２電極層とを有し、前記第１の面が接触を検出する側であるタッチパネルであって、
前記第１電極層は、複数の第１電極を備え、複数の前記第１電極は、第１の方向に沿って間隔をあけて配置され、かつ前記第１の方向に直交する第２の方向に延びるものであり、
前記第１電極は、複数の第１電極線と、複数の前記第１電極線が電気的に接続される第１パッドと、前記第１電極線と電気的に接続されていない複数の第１非接続線とを有し、
前記第２電極層は、複数の第２電極を備え、複数の前記第２電極は、前記第２の方向に沿って間隔をあけて配置され、かつ前記第１の方向に延びるものであり、
前記第２電極は、複数の第２電極線と、複数の前記第２電極線が電気的に接続される第２パッドと、前記第２電極線と電気的に接続されていない複数の第２非接続線とを有しており、
前記第１電極内の前記第１非接続線の合計面積をＡ１とし、前記第１電極内の前記第１電極線の合計面積をＢ１とし、前記第１電極内の前記第１非接続線の占有率をＣ１とするとき、Ｃ１＝Ａ１／（Ａ１＋Ｂ１）であり、
前記第２電極内の前記第２非接続線の合計面積をＡ２とし、前記第２電極内の前記第２電極線の合計面積をＢ２とし、前記第２電極内の前記第２非接続線の占有率をＣ２とするとき、Ｃ２＝Ａ２／（Ａ２＋Ｂ２）であり、
Ｃ２＜Ｃ１である前記第１電極と前記第２電極とを、それぞれ少なくとも１つ有することを特徴とするタッチパネル。
【請求項２】
前記透明絶縁部材における前記第１電極層と前記第２電極層とが設けられた感知領域において、前記第１非接続線の前記占有率Ｃ１と前記第２非接続線の前記占有率Ｃ２は、Ｃ２＜Ｃ１である請求項１に記載のタッチパネル。
【請求項３】
前記第１非接続線の前記占有率Ｃ１と前記第２非接続線の前記占有率Ｃ２は、１．０＜Ｃ１／Ｃ２≦３．０である請求項１または２に記載のタッチパネル。
【請求項４】
前記第１非接続線の前記占有率Ｃ１と前記第２非接続線の前記占有率Ｃ２は、１．２≦Ｃ１／Ｃ２≦２．０である請求項３に記載のタッチパネル。
【請求項５】
前記第１電極の電極幅と前記第２電極の電極幅が同じである請求項１〜４のいずれか１項に記載のタッチパネル。
【請求項６】
前記第１電極の面積をＥ１とし、前記第２電極の面積をＥ２とするとき、前記第１非接続線の前記合計面積Ａ１、前記第１電極線の前記合計面積Ｂ１および前記第１電極の前記面積Ｅ１と、前記第２非接続線の前記合計面積Ａ２、前記第２電極線の前記合計面積Ｂ２および前記第２電極の前記面積Ｅ２とは、
０．９＜（（Ａ１＋Ｂ１）／Ｅ１）／（（Ａ２＋Ｂ２）／Ｅ２）＜１．１である請求項１〜５いずれか１項に記載のタッチパネル。
【請求項７】
前記第１電極線および前記第１非接続線、ならびに前記第２電極線および前記第２非接続線は、線幅が１０μｍ以下である請求項１〜６のいずれか１項に記載のタッチパネル。
【請求項８】
前記第１電極線および前記第１非接続線、ならびに前記第２電極線および前記第２非接続線は、線幅が同じであり、かつ線幅が５μｍ以下である請求項７に記載のタッチパネル。
【請求項９】
透明絶縁部材と、前記透明絶縁部材の第１の面上に位置する第１電極層と、前記透明絶縁部材の前記第１の面と対向する第２の面上に位置する第２電極層とを有するタッチパネル用導電性シートであって、
前記第１電極層は、複数の第１電極を備え、複数の前記第１電極は、第１の方向に沿って間隔をあけて配置され、かつ前記第１の方向に直交する第２の方向に延びるものであり、
前記第１電極は、複数の第１電極線と、複数の前記第１電極線が電気的に接続される第１パッドと、前記第１電極線と電気的に接続されていない複数の第１非接続線とを有し、
前記第２電極層は、複数の第２電極を備え、複数の前記第２電極は、前記第２の方向に沿って間隔をあけて配置され、かつ前記第１の方向に延びるものであり、
前記第２電極は、複数の第２電極線と、複数の前記第２電極線が電気的に接続される第２パッドと、前記第２電極線と電気的に接続されていない複数の第２非接続線とを有しており、
前記第１電極内の前記第１非接続線の合計面積をＡ１とし、前記第１電極内の前記第１電極線の合計面積をＢ１とし、前記第１電極内の前記第１非接続線の占有率をＣ１とするとき、Ｃ１＝Ａ１／（Ａ１＋Ｂ１）であり、
前記第２電極内の前記第２非接続線の合計面積をＡ２とし、前記第２電極内の前記第２電極線の合計面積をＢ２とし、前記第２電極内の前記第２非接続線の占有率をＣ２とするとき、Ｃ２＝Ａ２／（Ａ２＋Ｂ２）であり、
Ｃ２＜Ｃ１である前記第１電極と前記第２電極とを、それぞれ少なくとも１つ有することを特徴とするタッチパネル用導電性シート。
【請求項１０】
第１電極層と第２電極層とを有し、第１電極層と第２電極層とが透明絶縁部材を挟んで対向しているタッチパネル用導電性シートであって、
前記第１電極層は、複数の第１電極を備え、複数の前記第１電極は、第１の方向に沿って間隔をあけて配置され、かつ前記第１の方向に直交する第２の方向に延びるものであり、
前記第１電極は、複数の第１電極線と、複数の前記第１電極線が電気的に接続される第１パッドと、前記第１電極線と電気的に接続されていない複数の第１非接続線とを有し、
前記第２電極層は、複数の第２電極を備え、複数の前記第２電極は、前記第２の方向に沿って間隔をあけて配置され、かつ前記第１の方向に延びるものであり、
前記第２電極は、複数の第２電極線と、複数の前記第２電極線が電気的に接続される第２パッドと、前記第２電極線と電気的に接続されていない複数の第２非接続線とを有しており、
前記第１電極内の前記第１非接続線の合計面積をＡ１とし、前記第１電極内の前記第１電極線の合計面積をＢ１とし、前記第１電極内の前記第１非接続線の占有率をＣ１とするとき、Ｃ１＝Ａ１／（Ａ１＋Ｂ１）であり、
前記第２電極内の前記第２非接続線の合計面積をＡ２とし、前記第２電極内の前記第２電極線の合計面積をＢ２とし、前記第２電極内の前記第２非接続線の占有率をＣ２とするとき、Ｃ２＝Ａ２／（Ａ２＋Ｂ２）であり、
Ｃ２＜Ｃ１である前記第１電極と前記第２電極とを、それぞれ少なくとも１つ有することを特徴とするタッチパネル用導電性シート。
【請求項１１】
請求項９または１０に記載のタッチパネル用導電性シートを有するタッチセンサ。
【発明の詳細な説明】
【技術分野】
【０００１】
本発明は、表示パネル上に配置され、タッチセンサとして利用されるタッチパネルおよびタッチパネルに用いられるタッチパネル用導電性シートに関し、特に、タッチ検出の検出感度を調整したタッチパネルおよびタッチパネルに用いられるタッチパネル用導電性シートに関する。
【背景技術】
【０００２】
現在、金属細線を用いた静電容量方式タッチパネルは、タッチを検出する検出電極の低抵抗化が可能である。このため、指だけではなくスタイラスペンのような細い先端を有する部材が、指よりも細いものでも検出可能なタッチパネルを提供できるため、注目を集めている。
例えば、特許文献１には、電極線により構成された電極内にパッドと非接続な非接続線を設けることにより、電極間の静電容量の初期値を調節し、高感度なタッチパネルを提供できることが開示されている。
【先行技術文献】
【特許文献】
【０００３】
【特許文献１】特開２０１５−１９１４０６号公報
【発明の概要】
【発明が解決しようとする課題】
【０００４】
しかしながら、上述の特許文献１に開示されたタッチパネルでは、指を用いてタッチ検出した場合には誤検出することがないが、指よりも細い先端を有する部材を用いてタッチ検出した場合、誤検出することがあるという問題がある。【０００５】
本発明の目的は、前述の従来技術に基づく問題点を解消し、指よりも細い先端を有する部材を用いてタッチ検出した場合でも、誤検出を抑制することができるタッチパネルおよびタッチパネル用導電性シートを提供することにある。
【課題を解決するための手段】
【０００６】
上述の目的を達成するために、本発明は、透明絶縁部材と、透明絶縁部材の第１の面上に位置する第１電極層と、透明絶縁部材の第１の面と対向する第２の面上に位置する第２電極層とを有し、第１の面が接触を検出する側であるタッチパネルであって、第１電極層は、複数の第１電極を備え、複数の第１電極は、第１の方向に沿って間隔をあけて配置され、かつ第１の方向に直交する第２の方向に延びるものであり、第１電極は、複数の第１電極線と、複数の第１電極線が電気的に接続される第１パッドと、第１電極線と電気的に接続されていない複数の第１非接続線とを有し、第２電極層は、複数の第２電極を備え、複数の第２電極は、第２の方向に沿って間隔をあけて配置され、かつ第１の方向に延びるものであり、第２電極は、複数の第２電極線と、複数の第２電極線が電気的に接続される第２パッドと、第２電極線と電気的に接続されていない複数の第２非接続線とを有しており、第１電極内の第１非接続線の合計面積をＡ１とし、第１電極内の第１電極線の合計面積をＢ１とし、第１電極内の第１非接続線の占有率をＣ１とするとき、Ｃ１＝Ａ１／（Ａ１＋Ｂ１）であり、第２電極内の第２非接続線の合計面積をＡ２とし、第２電極内の第２電極線の合計面積をＢ２とし、第２電極内の第２非接続線の占有率をＣ２とするとき、Ｃ２＝Ａ２／（Ａ２＋Ｂ２）であり、Ｃ２＜Ｃ１である第１電極と第２電極とを、それぞれ少なくとも１つ有することを特徴とするタッチパネルを提供するものである。【０００７】
透明絶縁部材における第１電極層と第２電極層とが設けられた感知領域において、第１非接続線の占有率Ｃ１と第２非接続線の占有率Ｃ２は、Ｃ２＜Ｃ１であることが好ましい。
第１非接続線の占有率Ｃ１と第２非接続線の占有率Ｃ２は、１．０＜Ｃ１／Ｃ２≦３．０であることが好ましい。より好ましくは、第１非接続線の占有率Ｃ１と第２非接続線の占有率Ｃ２は、１．２≦Ｃ１／Ｃ２≦２．０である。【０００８】
第１電極の電極幅と第２電極の電極幅が同じであることが好ましい。
第１電極の面積をＥ１とし、第２電極の面積をＥ２とするとき、第１非接続線の合計面積Ａ１、第１電極線の合計面積Ｂ１および第１電極の面積Ｅ１と、第２非接続線の合計面積Ａ２、第２電極線の合計面積Ｂ２および第２電極の面積Ｅ２とは、０．９＜（（Ａ１＋Ｂ１）／Ｅ１）／（（Ａ２＋Ｂ２）／Ｅ２）＜１．１であることが好ましい。
第１電極線および第１非接続線、ならびに第２電極線および第２非接続線は、線幅が１０μｍ以下であることが好ましい。
第１電極線および第１非接続線、ならびに第２電極線および第２非接続線は、線幅が同じであり、かつ線幅が５μｍ以下であることが好ましい。【０００９】
本発明は、透明絶縁部材と、透明絶縁部材の第１の面上に位置する第１電極層と、透明絶縁部材の第１の面と対向する第２の面上に位置する第２電極層とを有するタッチパネル用導電性シートであって、第１電極層は、複数の第１電極を備え、複数の第１電極は、第１の方向に沿って間隔をあけて配置され、かつ第１の方向に直交する第２の方向に延びるものであり、第１電極は、複数の第１電極線と、複数の第１電極線が電気的に接続される第１パッドと、第１電極線と電気的に接続されていない複数の第１非接続線とを有し、第２電極層は、複数の第２電極を備え、複数の第２電極は、第２の方向に沿って間隔をあけて配置され、かつ第１の方向に延びるものであり、第２電極は、複数の第２電極線と、複数の第２電極線が電気的に接続される第２パッドと、第２電極線と電気的に接続されていない複数の第２非接続線とを有しており、第１電極内の第１非接続線の合計面積をＡ１とし、第１電極内の第１電極線の合計面積をＢ１とし、第１電極内の第１非接続線の占有率をＣ１とするとき、Ｃ１＝Ａ１／（Ａ１＋Ｂ１）であり、第２電極内の第２非接続線の合計面積をＡ２とし、第２電極内の第２電極線の合計面積をＢ２とし、第２電極内の第２非接続線の占有率をＣ２とするとき、Ｃ２＝Ａ２／（Ａ２＋Ｂ２）であり、Ｃ２＜Ｃ１である第１電極と第２電極とを、それぞれ少なくとも１つ有することを特徴とするタッチパネル用導電性シートを提供するものである。
タッチパネル用導電性シートは、第１電極層と第２電極層とを有し、第１電極層と第２電極層とが透明絶縁部材を挟んで対向していればよい。
本発明は、タッチパネル用導電性シートを有するタッチセンサにも関する。
また、表示機器は、表示パネルおよびタッチパネル用導電性シートを有し、タッチパネル用導電性シート中の第１電極層、透明絶縁部材、および第２電極層、ならびに表示パネルがこの順に積層されていればよい。
【発明の効果】
【００１０】
本発明によれば、指よりも細い先端を有する部材を用いてタッチ検出した場合でも、誤検出を抑制することができる。
【図面の簡単な説明】
【００１１】
【図１】本発明の実施形態のタッチパネルの構成を示す模式的断面図である。
【図２】本発明の実施形態のタッチパネルを示す模式的平面図である。
【図３】本発明の実施形態のタッチパネルの構成の他の例を示す模式的断面図である。
【図４】本発明の実施形態のタッチパネルの構成の他の例を示す模式的断面図である。
【図５】本発明の実施形態のタッチパネル用導電性シートの第１電極層の第１の例を示す模式図である。
【図６】本発明の実施形態のタッチパネル用導電性シートの第２電極層の第１の例を示す模式図である。
【図７】本発明の実施形態のタッチパネル用導電性シートの第１電極層の第１の例と第２電極層の第１の例とを重ねた状態を示す模式図である。
【図８】本発明の実施形態のタッチパネル用導電性シートの第１電極を説明するための模式図である。
【図９】本発明の実施形態のタッチパネル用導電性シートの第１電極層の第２の例を示す模式図である。
【図１０】本発明の実施形態のタッチパネル用導電性シートの第２電極層の第２の例を示す模式図である。
【図１１】本発明の実施形態のタッチパネル用導電性シートの第１電極層の第２の例と第２電極層の第２の例とを重ねた状態を示す模式図である。
【図１２】本発明の実施形態のタッチパネル用導電性シートの第１電極層の第３の例を示す模式図である。
【図１３】本発明の実施形態のタッチパネル用導電性シートの第２電極層の第３の例を示す模式図である。
【図１４】本発明の実施形態のタッチパネル用導電性シートの第１電極層の第３の例と第２電極層の第３の例とを重ねた状態を示す模式図である。
【図１５】本発明の実施形態のタッチパネル用導電性シートの第１電極層の第４の例を示す模式図である。
【図１６】本発明の実施形態のタッチパネル用導電性シートの第２電極層の第４の例を示す模式図である。
【図１７】本発明の実施形態のタッチパネル用導電性シートの第１電極層の第４の例と第２電極層の第４の例とを重ねた状態を示す模式図である。
【図１８】本発明の実施形態のタッチパネル用導電性シートの第１電極層の第５の例を示す模式図である。
【図１９】本発明の実施形態のタッチパネル用導電性シートの第２電極層の第５の例を示す模式図である。
【図２０】本発明の実施形態のタッチパネル用導電性シートの第１電極層の第５の例と第２電極層の第５の例とを重ねた状態を示す模式図である。
【図２１】本発明の実施形態のタッチパネル用導電性シートの第１電極層の第６の例を示す模式図である。
【図２２】本発明の実施形態のタッチパネル用導電性シートの第２電極層の第６の例を示す模式図である。
【図２３】本発明の実施形態のタッチパネル用導電性シートの第１電極層の第６の例と第２電極層の第６の例とを重ねた状態を示す模式図である。
【図２４】本発明の実施形態のタッチパネル用導電性シートの第１電極層の第７の例を示す模式図である。
【図２５】本発明の実施形態のタッチパネル用導電性シートの第２電極層の第７の例を示す模式図である。
【図２６】本発明の実施形態のタッチパネル用導電性シートの第１電極層の第７の例と第２電極層の第７の例とを重ねた状態を示す模式図である。
【図２７】比較例の第１電極の第１の例を示す模式図である。
【図２８】比較例の第２電極の第１の例を示す模式図である。
【図２９】比較例の第１電極の第１の例と第２電極の第１の例とを重ねた状態を示す模式図である。
【図３０】比較例の第１電極の第２の例を示す模式図である。
【図３１】比較例の第２電極の第２の例を示す模式図である。
【図３２】比較例の第１電極の第２の例と第２電極の第２の例とを重ねた状態を示す模式図である。
【図３３】比較例の第１電極の第３の例を示す模式図である。
【図３４】比較例の第２電極の第３の例を示す模式図である。
【図３５】比較例の第１電極の第３の例と第２電極の第３の例とを重ねた状態を示す模式図である。
【図３６】従来のタッチパネル用導電性シートの第１電極層を示す模式図である。
【図３７】従来のタッチパネル用導電性シートの第２電極層を示す模式図である。
【図３８】従来のタッチパネル用導電性シートの第１電極層と第２電極層とを重ねた状態を示す模式図である。
【発明を実施するための形態】
【００１２】
以下に、添付の図面に示す好適実施形態に基づいて、本発明のタッチパネルおよびタッチパネル用導電性シートを詳細に説明する。
なお、以下において数値範囲を示す「〜」とは両側に記載された数値を含む。例えば、εが数値α〜数値βとは、εの範囲は数値αと数値βを含む範囲であり、数学記号により示せばα≦ε≦βである。
「具体的な数値により表された角度」、「平行」、「垂直」および「直交」等の角度は、特に記載がなければ、該当する技術分野において一般的に許容される誤差範囲を含む。
また、「同一」とは、特に記載がなければ、該当する技術分野において一般的に許容される誤差範囲を含む。
透明とは、光透過率が、波長３８０〜７８０ｎｍの可視光波長域において、４０％以上のことであり、好ましくは８０％以上、より好ましくは９０％以上のことである。
光透過率は、例えば、ＪＩＳ（日本工業規格）  Ｋ  ７３７５：２００８に規定される「プラスチック--全光線透過率および全光線反射率の求め方」を用いて測定されるものである。
【００１３】
図１は本発明の実施形態のタッチパネルの構成を示す模式的断面図である。図２は本発明の実施形態のタッチパネルを示す模式的平面図である。図３および図４は本発明の実施形態のタッチパネルの構成の他の例を示す模式的断面図である。
【００１４】
図１に示すように、導電性部材としてのタッチパネル用導電性シート１０は、表示パネル２０上に、例えば、透明層１８を介して設けられる。
タッチパネル用導電性シート１０上には、透明層１５を介してカバー層１２が設けられている。タッチパネル用導電性シート１０はコントローラ１４（図２参照）に接続されている。
タッチパネル用導電性シート１０およびカバー層１２によりタッチセンサ１３が構成され、タッチパネル用導電性シート１０、カバー層１２およびコントローラ１４により、タッチパネル１６が構成される。タッチパネル１６および表示パネル２０により、電子デバイスである表示機器が構成される。なお、電子デバイスは上述の表示機器に限定されるものではない。
カバー層１２の表面１２ａが、表示パネル２０の表示領域（図示せず）に表示された表示物の視認面となる。また、カバー層１２の表面１２ａが、タッチパネル１６のタッチ面であり、操作面となる。なお、タッチ面とは、指またはスタイラスペン等の接触を検出する面のことである。
【００１５】
コントローラ１４は静電容量方式のタッチセンサの検出に利用される公知のものにより構成される。タッチパネル１６では、カバー層１２の表面１２ａに対する指等の接触により、静電容量が変化した位置がコントローラ１４によって検出される。静電容量方式のタッチパネルの検出方法については、公知の検出方法が適宜利用可能である。
上述のようにタッチパネル１６はタッチパネル用導電性シート１０を含む。タッチパネル用導電性シート１０を含むタッチパネル１６は、特に相互容量方式のタッチパネルとして最適である。静電容量方式のタッチパネルには、相互容量方式のタッチパネルおよび自己容量方式のタッチパネルがあるが、特に相互容量方式として最適である。
【００１６】
カバー層１２は、タッチパネル用導電性シート１０を保護するためのものである。カバー層１２は、その構成は、特に限定されるものではない。カバー層１２には、例えば、板ガラスおよび強化ガラス等のガラス、ポリカーボネート（ＰＣ）、ポリエチレンテレフタレート（ＰＥＴ）、またはポリメタクリル酸メチル樹脂（ＰＭＭＡ)等のアクリル樹脂が用いられる。カバー層１２の表面１２ａは、上述のようにタッチ面となるため、必要に応じて表面１２ａにハードコート層を設けてもよい。なお、カバー層１２の厚みとしては０．１〜１．３ｍｍが使用され、特に０．１〜０．７ｍｍが好ましい。
【００１７】
透明層１８は、光学的に透明で絶縁性を有するものであり、かつ安定してタッチパネル用導電性シート１０と表示パネル２０とを固定することができれば、その構成は、特に限定されるものではない。透明層１８としては、例えば、光学的に透明な粘着剤（ＯＣＡ、Optical Clear Adhesive）およびＵＶ（Ultra Violet）硬化樹脂等の光学的に透明な樹脂（ＯＣＲ、Optical Clear Resin）を用いることができる。また、透明層１８は部分的に中空でもよい。
なお、透明層１８を設けることなく、表示パネル２０上に隙間をあけてタッチパネル用導電性シート１０を離間して設ける構成でもよい。この隙間のことをエアギャップともいう。
また、透明層１５は、光学的に透明で絶縁性を有するものであり、かつ安定してタッチパネル用導電性シート１０とカバー層１２とを固定することができれば、その構成は、特に限定されるものではない。透明層１５は透明層１８と同じものを用いることができる。
【００１８】
表示パネル２０は、表示領域（図示せず）を備えるものであり、例えば、液晶表示パネルである。表示パネル２０は、液晶表示パネルに限定されるものではなく、有機ＥＬ（Organic electro luminescence）表示パネルでもよい。
電子デバイスは、タッチパネル用導電性シート１０またはタッチパネル１６を有するものであり、タッチパネル用導電性シート１０またはタッチパネル１６を有すれば、特に限定されるものではない。電子デバイスとしては、例えば、上述の表示機器が挙げられる。電子デバイスとして、具体的には、携帯電話、スマートフォン、携帯情報端末、カーナビゲーションシステム、タブレット端末、ノート型のパーソナルコンピュータ、およびデスクトップ型のパーソナルコンピュータ等が挙げられる。
【００１９】
タッチパネル用導電性シート１０は、例えば、静電容量方式のタッチセンサに利用されるものである。
導電性部材としてのタッチパネル用導電性シート１０では、第１電極層３２と第２電極層４０とが絶縁状態で対向して配置され、タッチパネル用導電性シート１０では、透明絶縁部材３００を用いる。タッチパネル用導電性シート１０は、具体的には、図１に示すように、透明絶縁部材３００として、透明絶縁基体３０を用いることができ、透明絶縁基体３０の表面３０ａ上に複数の第１電極線３５を有する第１電極層３２が設けられている。また、透明絶縁基体３０の裏面３０ｂ上に複数の第２電極線４３を有する第２電極層４０が設けられている。図１では、透明絶縁基体３０の表面３０ａと裏面３０ｂとに直接第１電極層３２と第２電極層４０とが形成された構成であるが、透明絶縁基体３０と第１電極層３２との間、また透明絶縁基体３０と第２電極層４０との間に、電極層と透明絶縁基体との密着性を良くするための下地層（アンダーコート層）または密着強化層、また他の機能層を１層以上設けてもよい。
透明絶縁基体３０の表面３０ａが第１の面であり、透明絶縁基体３０の裏面３０ｂが第１の面に対向する第２の面である。透明絶縁基体３０の表面３０ａの上にカバー層１２が積層されており、透明絶縁基体３０の表面３０ａ側がタッチ面側、つまり接触を検出する側になる。すなわち、第１の面側がタッチ面側、つまり接触を検出する側になる。
【００２０】
図２に示すように、第１電極層３２は、複数の第１電極３４を備える。複数の第１電極３４は、第１の方向Ｄ１に沿って間隔をあけて配置され、かつ第１の方向Ｄ１に直交する第２の方向Ｄ２に延びるものである。図２の例では、第１電極３４は、長尺状の電極である。
第１電極３４は、複数の第１電極線３５と、複数の第１電極線３５が間隔をあけて電気的に接続される第１パッド３６とを有する。第１電極線３５は、後に詳細に説明するように線幅１０μｍ以下の金属細線により構成されている。
複数の第１電極３４に対して、各第１電極３４の第１パッド３６に第１の周辺配線３７が電気的に接続されている。各第１の周辺配線３７が互いに近接して配列されており、複数の第１の周辺配線３７はそれぞれ個別にコントローラ１４に接続するための端子に接続され、それらの端子は、透明絶縁基体３０の一辺３０ｃにて１つの端子接続領域３９にまとめられている。複数の第１の周辺配線３７をまとめて第１の周辺配線部３８という。
【００２１】
図２に示すように、第２電極層４０は、複数の第２電極４２を備える。複数の第２電極４２は、第２の方向Ｄ２に沿って間隔をあけて配置され、かつ第１の方向Ｄ１に延びるものである。図２の例では、第２電極４２は、長尺状の電極である。
第２電極４２は、複数の第２電極線４３と、複数の第２電極線４３が間隔をあけて電気的に接続される第２パッド４４とを有する。第２電極線４３は、後に詳細に説明するように線幅１０μｍ以下の金属細線により構成されている。
複数の第２電極４２に対して、各第２電極４２の第２パッド４４に第２の周辺配線４５が電気的に接続されている。各第２の周辺配線４５が互いに近接して配列されている。複数の第２の周辺配線４５はそれぞれ個別にコントローラ１４に接続するための端子に接続され、それらの端子は、透明絶縁基体３０の一辺３０ｃにて１つの端子接続領域４７にまとめられている。複数の第２の周辺配線４５をまとめて第２の周辺配線部４６という。
【００２２】
第１電極３４と第２電極４２とは透明絶縁部材３００によって絶縁され、少なくとも一部を重ねて交差し配置されている。より具体的には、透明絶縁基体３０の一方の面に対して垂直な方向Ｄｎ（図３参照）から見た際に、第２電極４２は第１電極３４に対して少なくとも一部を重ねて交差し配置されている。第１電極３４と第２電極４２を重ねた積層方向は上述の垂直な方向Ｄｎ（図１参照）と同じ方向である。複数の第１電極３４と複数の第２電極４２とが設けられた領域に、図２に示すタッチを検出する感知領域４８が形成される。感知領域４８がセンサー領域となる。
複数の第１電極３４は、後述のいずれの構成とした場合でも、検出感度を均一にするため、それぞれ同じ構成であることが好ましい。また、複数の第２電極４２も、後述のいずれの構成とした場合でも、検出感度を均一にするため、それぞれ同じ構成であることが好ましい。また、第１電極３４の最外にある第１電極３４の構成を他の第１電極と異なる構成としてもよい。また、第２電極４２の最外にある第２電極４２の構成を他の第２電極４２と異なる構成としてもよい。例えば、電極の形状または電極の幅を異なるものとすることができる。
【００２３】
図１に示すように、１つの透明絶縁基体３０の表面３０ａに第１電極３４を設け、裏面３０ｂに第２電極４２を設けることにより、透明絶縁基体３０が収縮しても第１電極３４と第２電極４２との位置関係のズレを小さくすることができる。
第１の周辺配線３７および第２の周辺配線４５は、例えば、導体配線により形成される。タッチパネル用導電性シート１０を含めタッチパネル１６の各構成部材については、後に詳細に説明する。
【００２４】
タッチパネル用導電性シート１０では、透明絶縁部材３００（図１では透明絶縁基体３０）を介して複数の第１電極３４と複数の第２電極４２とが平面視において重なって配置される領域が感知領域４８である。感知領域４８は、静電容量方式タッチパネルにおいて、指等の接触、すなわち、タッチの検出が可能な感知領域である。表示パネル２０の表示領域上に感知領域４８を重ねて、タッチパネル用導電性シート１０が表示パネル２０上に配置されている。このため、感知領域４８は可視領域でもある。表示パネル２０（図１参照）の表示領域上に画像が表示されれば、感知領域４８は画像表示領域となる。
第１の周辺配線部３８および第２の周辺配線部４６が形成されている領域には、例えば、遮光機能を有する加飾層(図示せず)が設けられる。加飾層によって第１の周辺配線部３８および第２の周辺配線部４６を覆うことにより第１の周辺配線部３８および第２の周辺配線部４６が不可視とされる。
【００２５】
加飾層としては、第１の周辺配線部３８および第２の周辺配線部４６を不可視とすることができれば、その構成は特に限定されるものではなく、公知の加飾層を用いることができる。加飾層の形成には、スクリーン印刷法、グラビア印刷法およびオフセット印刷法等の各種の印刷法、転写法、ならびに蒸着法を用いることができ、カバー層１２に形成してもよいし、タッチパネル用導電性シート１０に形成してもよい。
【００２６】
タッチパネル用導電性シート１０は、図１および図２に示すものに、特に限定されるものではなく、例えば、図３および図４に示すタッチパネル用導電性シート１０のように、１つの透明絶縁基体３０に第１電極層３２が設けられ、もう１つ別の透明絶縁基体３１に第２電極層４０が設けられた構成でもよい。タッチパネル用導電性シート１０は、図３に示すように、１つの透明絶縁基体３０の表面３０ａに、第１電極層３２が設けられた、透明絶縁基体３０の裏面３０ｂに、透明接着層４９を介して表面３１ａに第２電極層４０が設けられた透明絶縁基体３１が積層された構成でもよい。また、図４に示すように、１つの透明絶縁基体３０の表面３０ａに、第１電極層３２が設けられた、透明絶縁基体３０の裏面３０ｂに、透明接着層４９を介して裏面３１ｂに第２電極層４０が設けられた透明絶縁基体３１が積層された構成でもよい。すなわち、透明絶縁部材３００の第１面上に位置する第１電極層３２と、透明絶縁部材３００の第１面に対向する第２面上に位置する第２電極層４０を有する構造、つまり、第１電極層３２と第２電極層４０とが透明絶縁部材３００によって絶縁されている構造であればよい。図３においては、透明絶縁基体３０と透明接着層４９とにより透明絶縁部材３００を構成し、図４においては、透明絶縁基体３０と透明接着層４９と透明絶縁基体３１とにより透明絶縁部材３００を構成している。図３に示す構成でも図４に示す構成でも、透明絶縁基体３０の表面３０ａ側が、タッチ面側となる。つまり、第１電極層３２が第２電極層４０よりもタッチ面側、つまり接触を検出する側に配置される。
なお、図示してないが、透明絶縁基体３０上に絶縁膜を介して第１電極層３２と第２電極層４０を積層する構成（片面積層構成）でもよい。この場合、絶縁膜が透明絶縁部材３００に相当し、第１電極層３２がタッチ面側、つまり接触を検出する側に配置される。
【００２７】
なお、透明絶縁基体３１は透明絶縁基体３０と同じ構成でもよいし、異なる構成でもよい。透明接着層４９は、上述の透明層１８と同じものを用いることができる。図３示す構成でも図４に示す構成でも、第１電極３４と第２電極４２とを重ねた積層方向は垂直な方向Ｄｎと同じ方向である。
【００２８】
次に、タッチパネル用導電性シートの第１電極層および第２電極層について説明する。
図５は本発明の実施形態のタッチパネル用導電性シートの第１電極層の第１の例を示す模式図であり、図６は本発明の実施形態のタッチパネル用導電性シートの第２電極層の第１の例を示す模式図である。図７は本発明の実施形態のタッチパネル用導電性シートの第１電極層の第１の例と第２電極層の第１の例とを重ねた状態を示す模式図である。
【００２９】
図５に示すように、第１電極層３２の第１電極３４は、複数の第１電極線３５が、第１の方向Ｄ１に沿って間隔をあけて配置されている。第１電極線３５は線幅１０μｍ以下の金属細線により構成され、図５の例では、屈曲形状を有する。屈曲形状とは、直線形状を有する複数の直線部が屈曲部を介して連なる折れ線形状のことである。
また、第１電極３４は、第１電極線３５と電気的に接続されていない線幅１０μｍ以下の金属細線により構成された複数の第１非接続線５０を有する。第１非接続線５０は、図示の都合上、第１電極線３５と線種を変えて表示しているが、第１パッド３６に電気的に接続されていない点以外は第１電極線３５と同じ構成であり、図５の例では、第１非接続線５０も屈曲形状を有する。
【００３０】
図６に示すように、第２電極層４０の第２電極４２は、複数の第２電極線４３が、第２の方向Ｄ２に沿って間隔をあけて配置されている。第２電極線４３は線幅１０μｍ以下の金属細線により構成され、図６の例では、屈曲形状を有する。
第２電極４２は、第２電極線４３と電気的に接続されていない線幅１０μｍ以下の金属細線により構成された複数の第２非接続線５５を有する。第２非接続線５５は、図示の都合上、第２電極線４３と線種を変えて表示しているが、第２パッド４４に電気的に接続されていない点以外は第２電極線４３と同じ構成であり、図５の例では、第２非接続線５５も屈曲形状を有する。
【００３１】
図７に示すように、第１電極層３２と第２電極層４０とを重ねた状態では、格子５８が構成されメッシュ状になる。これは第１電極層３２では、第１電極線３５以外に第１非接続線５０を設け、第２電極層４０では、第２電極線４３以外に第２非接続線５５を設けることによるものである。なお、図７は、第１電極層３２側つまりタッチ面側から見た場合の状態を示す。
図８は、本発明の実施形態のタッチパネル用導電性シートの第１電極を説明するための模式図である。屈曲形状を有する第１電極線３５について説明するが、第２電極線４３と第１電極線３５とは同じ構成である。このため、第１電極線３５について説明し、第２電極線４３の説明は省略する。
図８に示すように、第１電極線３５は、直線部３５ａと屈曲部３５ｂとを有する。直線部３５ａは屈曲部３５ｂ毎に向きを変えて配置される。直線部３５ａの向きを示す内角の角度は、第２の方向Ｄ２に平行な直線Ｈに対して絶対値でθである。このため、第１電極線３５は、第２の方向Ｄ２に平行な直線Ｊ１と第２の方向Ｄ２に平行な直線Ｊ２との間において屈曲している。図８に示した例では、屈曲部３５ｂは、直線Ｊ１および直線Ｊ２のいずれかに接する。
例えば、直線部３５ａの長さＬは、直線部３５ａにおける第１の方向Ｄ１の成分の長さＬｘが、第１の方向Ｄ１における第１電極線３５間のピッチｐと等しくなるように設定してもよい。ピッチｐおよび角度θは、タッチパネルとして要求される位置検出の精度、および表示パネル２０における画素形状などに応じて適宜設定される。好ましいピッチｐの範囲は２００μｍ〜１０００μｍである。好ましい角度θは３０°〜１２０°である。
【００３２】
ここで、第１電極３４内の第１非接続線５０の合計面積をＡ１とし、第１電極３４内の第１電極線３５の合計面積をＢ１とし、第１電極３４内の第１非接続線５０の占有率をＣ１とするとき、Ｃ１＝Ａ１／（Ａ１＋Ｂ１）である。また、第２電極４２内の第２非接続線５５の合計面積をＡ２とし、第２電極４２内の第２電極線４３の合計面積をＢ２とし、第２電極４２内の第２非接続線５５の占有率をＣ２とするとき、Ｃ２＝Ａ２／（Ａ２＋Ｂ２）である。
複数の第１電極３４のうち、少なくとも１つの第１電極３４と複数の第２電極４２のうち、少なくとも１つの第２電極４２とがＣ２＜Ｃ１である。
図５の第１電極３４の構成では、第１非接続線５０の割合を変えることにより、第１非接続線５０の占有率Ｃ１を変えることができる。図６の第２電極４２の構成では、第２非接続線５５の割合を変えることにより、第２非接続線５５の占有率Ｃ２を変えることができる。
【００３３】
第１電極３４の電極幅Ｗ１は、図５に示すように、１つの第１電極３４において、１つの第１パッド３６に接続される複数の第１電極線３５のうち、第１の方向Ｄ１における最外電極線の外側間の距離のことである。また、第１非接続線５０は、第１電極３４を構成する最外の第１電極線間に配置されたものであり、最外の第１電極線の外側に配置された第１電極３４と電気的に非接続な線（ダミー線）は第１非接続線５０には含まない。
第２電極４２の電極幅Ｗ２は、図６に示すように、１つの第２電極４２において、１つの第２パッド４４に接続される複数の第２電極線４３のうち、第２の方向Ｄ２における最外電極線の外側間の距離のことである。また、第２非接続線５５は、第２電極４２を構成する最外の第２電極線間に配置されたものであり、最外の第２電極線の外側に配置された第２電極４２と電気的に非接続な線（ダミー線）は第２非接続線５５には含まない。
【００３４】
上述の第１電極線３５間のピッチｐは、第１電極線３５間に限定されるものではなく、第１電極線３５と第１非接続線５０との間、第１非接続線５０間にも適用される。上述のピッチｐを揃えることにより、第１電極３４内において第１電極線３５等が均一に配置され、検出感度を均一にでき、かつ線見えが抑制される等の効果もある。
なお、第１電極線３５間のピッチｐは、第２電極線４３についても同様である。第２電極線４３間に限定されるものではなく、第２電極線４３と第２非接続線５５の間、および第２非接続線５５間にも適用される。上述のピッチｐを揃えることにより、第２電極４２内において第２電極線４３等が均一に配置され、検出感度を均一にでき、かつ線見えが抑制される等の効果もある。
【００３５】
第１電極３４の電極幅Ｗ１および第２電極４２の電極幅Ｗ２は、例えば、１〜４ｍｍである。第１電極線３５のピッチｐおよび第２電極線４３間のピッチｐは、例えば、１００〜３０００μｍであり、好ましくは、２００〜１０００μｍである。
第１電極層３２と第２電極層４０とを重ねた状態において形成されるメッシュ状のパターンの格子の一辺の長さは、メッシュ状のパターンが視認されにくいという観点から５０〜５００μｍであり、好ましくは２００〜４００μｍである。このことから、図７に示すように、格子５８を有するメッシュ状のパターンを構成する場合には、第１電極線３５のピッチｐおよび第２電極線４３間のピッチｐは、２００〜４００μｍであることが好ましい。
【００３６】
ここで、図１に示すように、第１電極層３２と第２電極層４０とではカバー層１２の表面１２ａからの距離が異なる。このことにより、第１電極層３２と第２電極層４０とでは検出感度が異なり、これが原因でスタイラスペンのような指よりも細い先端を有するものでは誤検出することがあることを見出した。これに対して、上述のように、第１非接続線５０の占有率Ｃ１と、第２非接続線５５の占有率Ｃ２とについて、Ｃ２＜Ｃ１とすることにより、第１電極層３２側の検出感度が、第２電極層４０の検出感度と同程度になる。このため、指よりも細い先端を有するスタイラスペンに対する検出感度が向上し、指よりも細い先端径２ｍｍのスタイラスペンであっても、誤検出を抑制することができる。
Ｃ２＜Ｃ１とするのは、スタイラスペン等の指よりも細いものを用いた際の誤検出の抑制であるため、少なくとも感知領域４８（図２参照）において、上述のＣ２＜Ｃ１であればよい。以下、第１非接続線５０の占有率Ｃ１と、第２非接続線５５の占有率Ｃ２とについてＣ２＜Ｃ１とする理由についてさらに説明する。
【００３７】
ここで、図３６は従来のタッチパネル用導電性シートの第１電極層を示す模式図である。図３７は従来のタッチパネル用導電性シートの第２電極層を示す模式図である。図３８は従来のタッチパネル用導電性シートの第１電極層と第２電極層とを重ねた状態を示す模式図である。
なお、図３６〜図３８において、図５〜図７に示す構成と同一構成物には同一符号を付して、その詳細な説明は省略する。
図３６に示す従来の第１電極層１００においては、第１電極１０２では、第１パッド３６に、複数の第１電極線３５と第１非接続線５０が接続されている。また、図３７に示す従来の第２電極層１０４においては、第２電極１０６では、複数の第２電極線４３と第２非接続線５５が第２パッド４４に接続されている。
図３６に示す第１電極層１００の第１電極１０２と、図３７に示す第２電極層１０４の第２電極１０６とは同じ構成である。図３８に示すように、第１電極層１００と第２電極層１０４を重ねた状態においてメッシュ状となる。
【００３８】
上述のように第１電極層１００の第１電極１０２と、第２電極層１０４の第２電極１０６とは同じ構成であるため、カバー層１２の表面１２ａからの距離が異なる場合、第１電極層１００と第２電極層１０４では感度が異なり、このことが原因で誤検出を起こす。
検出感度が異なることに関し、細い先端を有するスタイラスペンに関する電極の検出感度は、電極内の非接続線の占有面積比率によって調整可能であることが判明した。具体的には、電極内の非接続線の占有面積比率が小さいほど、電極の検出感度は大きくなることを見出した。タッチ面に近い第１電極３４内の非接続線の占有面積比率を、タッチ面に遠い第２電極４２内の非接続線の占有面積比率よりも大きくする構成とすることにより、細い先端を有するスタイラスペンに対する第１電極３４と、第２電極４２との検出感度が同じになるようにした。
【００３９】
なお、第１非接続線５０の占有率Ｃ１と、第２非接続線５５の占有率Ｃ２とについて、Ｃ２＜Ｃ１としたが、誤検出と感度の両立を図るには、１．０＜Ｃ１／Ｃ２≦３．０であることが好ましく、より好ましくは１．２≦Ｃ１／Ｃ２≦２．０である。
【００４０】
第１電極３４の面積をＥ１とし、第２電極４２の面積をＥ２とするとき、第１非接続線５０の合計面積Ａ１、第１電極線３５の合計面積Ｂ１および第１電極３４の面積Ｅ１と、第２非接続線５５の合計面積Ａ２、第２電極線４３の合計面積Ｂ２および第２電極４２の面積Ｅ２とは、０．９＜（（Ａ１＋Ｂ１）／Ｅ１）／（（Ａ２＋Ｂ２）／Ｅ２）＜１．１であることが好ましい。第１電極３４の面積Ｅ１と第２電極４２の面積Ｅ２の関係は、上述のＣ２＜Ｃ１を満たしていることが前提である。
第１電極３４の面積Ｅ１は、第１電極３４の電極幅Ｗ１と、第１電極３４の第２の方向Ｄ２における電極長さＬｍ（図２参照）との積により表される。すなわち、第１電極３４の面積Ｅ１は、Ｅ１＝Ｗ１×Ｌｍである。
第２電極４２の面積Ｅ２は、第２電極４２の電極幅Ｗ２と、第２電極４２の第１の方向Ｄ１における電極長さＬｎ（図２参照）との積により表される。すなわち、第２電極４２の面積Ｅ２は、Ｅ２＝Ｗ２×Ｌｎである。
【００４１】
（Ａ１＋Ｂ１）／Ｅ１は、第１電極３４中の金属細線の密度を示すものである。（Ａ２＋Ｂ２）／Ｅ２は、第２電極４２中の金属細線の密度を示すものである。
【００４２】
０．９＜（（Ａ１＋Ｂ１）／Ｅ１）／（（Ａ２＋Ｂ２）／Ｅ２）＜１．１であれば、第１電極３４における金属細線の密度と、第２電極４２における金属細線の密度が同様になり、電極線の線見え等が抑制され、視認性が良好となる。
【００４３】
第１電極３４の電極幅と第２電極４２の電極幅が同じであることがタッチパネルの感度の面内均一性が向上する点で好ましい。また、第１電極層３２において第１電極線３５および第１非接続線５０は線幅が１０μｍ以下の金属細線であることが好ましく、第２電極層４０において第２電極線４３および第２非接続線５５は線幅が１０μｍ以下の金属細線であることが好ましい。
また、第１電極線３５および第１非接続線５０、ならびに第２電極線４３および第２非接続線５５は、線幅が同じであり、かつ線幅が５．０μｍ以下、特に１．０μｍ以上５．０μｍ以下の金属細線であることが好ましい。ここで、線幅が同じであるとは、±１０％の範囲内にあることである。このため、線幅５．０μｍの場合、線幅が４．５μｍ〜５．５μｍであれば、線幅は同じとする。
上述の第１電極層３２および第２電極層４０にある線の線幅は、いずれも平均値の値である。
上述の第１電極層３２および第２電極層４０にある線の線幅は、まず、対象となる線の透明絶縁基体３０の表面３０ａに対して垂直な方向の画像を取得し、画像をパーソナルコンピュータに取り込み、線を抽出する。抽出した線に沿って線幅を求め、複数の線幅を得て、複数の線幅の線の平均値を得る。この平均値を線幅とする。
【００４４】
上述の第１電極層３２および第２電極層４０にある線の厚みは、特に限定されるものではないが、０．０５〜１０μｍが好ましく、０．１〜１μｍであることが最も好ましい。厚みが上述の範囲であれば、低抵抗で、かつ耐久性に優れた線を比較的容易に形成できる。
上述の第１電極層３２および第２電極層４０にある線の厚みを測定する場合、測定対象となる線の断面画像を取得し、断面画像をパーソナルコンピュータに取り込み、モニタに表示し、モニタ上にて、測定対象となる線の厚みを規定する２箇所に、それぞれ水平線をひき、水平線間の長さを求める。これにより、測定対象となる線の厚みを得ることができる。
【００４５】
上述の図５に示す第１電極３４は第１電極線３５が屈曲形状であり、図６に示す第２電極４２は第２電極線４３が屈曲形状であったが、これに限定されるものではなく、以下に示すように電極線がメッシュ状に配置されたメッシュ電極でもよい。
ここで、図９は本発明の実施形態のタッチパネル用導電性シートの第１電極層の第２の例を示す模式図である。図１０は本発明の実施形態のタッチパネル用導電性シートの第２電極層の第２の例を示す模式図である。図１１は本発明の実施形態のタッチパネル用導電性シートの第１電極層の第２の例と第２電極層の第２の例とを重ねた状態を示す模式図である。
【００４６】
なお、図９〜図１１において、図５〜図７に示す構成と同一構成物には同一符号を付して、その詳細な説明は省略する。図９〜図１１は、第１電極３４と第２電極４２が重なる交差部５９（図２参照）だけを示す。
図９に示す第１電極３４および図１０に示す第２電極４２は、電極構成がメッシュ状である。図９に示すメッシュ状の第１電極３４と図１０に示すメッシュ状の第２電極４２とを重ねると、図１１に示すように、同一形状の菱形形状の格子５８が構成されメッシュ状になる。
【００４７】
図９に示す第１電極３４は、第１電極線３５と、第１非接続線５０と、第１ダミー線５３とを有する。第１電極線３５、第１非接続線５０および第１ダミー線５３により、例えば、格子形状が菱形のメッシュ電極が構成される。第１非接続線５０は第１電極線３５により構成された菱形の格子内に、菱形の格子を合同な菱形によって区画するように配置される。第１ダミー線５３は、隣接する第１電極３４間に第１電極線３５と絶縁されて設けられるものである。第１ダミー線５３も、菱形の格子を形成する。
第１電極３４の電極幅Ｗ１は、配置される第１電極線３５の、第１の方向Ｄ１における端から端までの最大長さである。第１非接続線５０は、同一の第１パッド３６に接続された複数の第１電極線３５により囲まれた内側領域に配置されたものであり、第１ダミー線５３は隣接する第１電極間に配置されたものである。第１電極３４の電極幅Ｗ１には、第１ダミー線５３は考慮されない。
【００４８】
図１０に示す第２電極４２は、第２電極線４３と、第２非接続線５５と、第２ダミー線６０とを有する。第２電極線４３、第２非接続線５５および第２ダミー線６０により、例えば、格子形状が菱形のメッシュ電極が構成される。第２非接続線５５は第２電極線４３により構成された菱形の格子内に、菱形の格子を合同な菱形によって区画するように配置される。第２ダミー線６０は、第２電極４２間に設けられるものである。第２ダミー線６０も、菱形の格子を形成する。
第２電極４２の電極幅Ｗ２は、配置される第２電極線４３の、第２の方向Ｄ２における端から端までの最大長さである。第２非接続線５５は、同一の第２パッド４４に接続された複数の第２電極線４３により囲まれた内側領域に配置されたものであり、第２ダミー線６０は隣接する第２電極間に配置されたものである。第２電極４２の電極幅Ｗ２には、第２ダミー線６０は考慮されない。
【００４９】
なお、図９に示す第１電極３４の第１非接続線５０の占有率Ｃ１と、図１０に示す第２電極４２の第２非接続線５５の占有率Ｃ２とは、Ｃ２＜Ｃ１である。
第１非接続線５０の占有率Ｃ１は、第１電極３４における第１電極線３５または第１非接続線５０を設ける割合により変えることができる。第２非接続線５５の占有率Ｃ２は、第２電極４２における第２電極線４３または第２非接続線５５を設ける割合により変えることができる。
【００５０】
また、メッシュ電極は、上述の図９〜図１１に示すものに限定されるものではない。
ここで、図１２は本発明の実施形態のタッチパネル用導電性シートの第１電極層の第３の例を示す模式図である。図１３は本発明の実施形態のタッチパネル用導電性シートの第２電極層の第３の例を示す模式図である。図１４は本発明の実施形態のタッチパネル用導電性シートの第１電極層の第３の例と第２電極層の第３の例とを重ねた状態を示す模式図である。
なお、図１２〜図１４において、図９〜図１１に示す構成と同一構成物には同一符号を付して、その詳細な説明は省略する。図１２〜図１４は、第１電極３４と第２電極４２が重なる交差部５９（図２参照）だけを示す。
【００５１】
図１２に示す第１電極３４および図１３に示す第２電極４２は、電極構成がメッシュ状である。図１２に示すメッシュ状の第１電極３４と図１３に示すメッシュ状の第２電極４２とを重ねると、図１４に示すように、菱形形状の格子５８が構成されメッシュ状になる。
図１２に示す第１電極３４は、図９に示す第１電極３４に比して、第１電極線３５により構成された菱形の格子の一部が第１非接続線５０に置き換えられている点が異なる以外は、図９に示す第１電極３４と同じ構成である。
第１非接続線５０は、第２の方向Ｄ２に沿って菱形の格子を構成しており、これが第１の方向Ｄ１に間隔をあけて設けられている。
図１３に示す第２電極４２は、図１０に示す第２電極４２に比して、第２電極線４３により構成された格子形状が菱形のパターンと、第２非接続線５５により構成された格子形状が菱形のパターンとが第２の方向Ｄ２に交互に配置されている点が異なる以外は、図１０に示す第２電極４２と同じ構成である。
【００５２】
また、電極の構成としては、図１５〜図１７に示す構成でもよい。
図１５は本発明の実施形態のタッチパネル用導電性シートの第１電極層の第４の例を示す模式図である。図１６は本発明の実施形態のタッチパネル用導電性シートの第２電極層の第４の例を示す模式図である。図１７は本発明の実施形態のタッチパネル用導電性シートの第１電極層の第４の例と第２電極層の第４の例とを重ねた状態を示す模式図である。
なお、図１５〜図１７において、図９〜図１１に示す構成と同一構成物には同一符号を付して、その詳細な説明は省略する。図１５〜図１７は、第１電極３４と第２電極４２が重なる交差部５９（図２参照）だけを示す。
【００５３】
図１５に示すメッシュ状の第１電極３４と図１６に示すメッシュ状の第２電極４２とを重ねると、図１７に示すように菱形形状の格子５８が構成されメッシュ状になる。
図１５に示す第１電極３４は、図９に示す第１電極３４に比して、第１電極線３５により構成された菱形の格子内に設けられる第１非接続線５０が多い点が異なる以外は、図９に示す第１電極３４と同じ構成である。図１５に示す第１電極３４の方が、図９に示す第１電極３４よりも第１非接続線５０の占有率Ｃ１が大きい。
図１６に示す第２電極４２は、図１０に示す第２電極４２に比して、第２電極線４３により構成された菱形の格子内に設けられる第２非接続線５５が多い点が異なる以外は、図１０に示す第２電極４２と同じ構成である。図１６に示す第２電極４２の方が、図１０に示す第２電極４２よりも第２非接続線５５の占有率Ｃ２が大きい。
【００５４】
メッシュ電極の場合、メッシュパターンは、上述のように菱形を組み合わせたものに、特に限定されるものではない。メッシュパターンとしては、正三角形、二等辺三角形、直角三角形等の三角形、正方形、長方形、平行四辺形、台形等の四角形、六角形、八角形等の多角形、円、楕円、もしくは星形等、またはこれらを組み合わせた幾何学図形であることが好ましい。特に図９から図１７に示したような同一形状の菱形が繰り返しで構成されたメッシュパターンがタッチパネルのモアレ低減の観点から好ましく、その菱形の鋭角の角度は３０度〜６０度であることがモアレ低減の観点からより好ましい。メッシュパターンとは、格子状に構成されたセルが多数組み合わされてなるものである。メッシュパターンとしては、相似形の格子、または合同な形状の格子が組み合わされた構成でもよく、異なる形状の格子が組み合わされたものでもよい。また不規則な形状を組み合わせたランダムメッシュパターン、同一形状の菱形の辺を±１０％の範囲において不規則に変化させたメッシュパターンでもよい。格子、菱形の一辺の長さは特に制限されないが、５０〜５００μｍであることが視認されにくいことから好ましく、２００〜４００μｍであることがさらに好ましい。単位格子の辺の長さが上述の範囲である場合には、さらに透明性も良好に保つことが可能であり、表示パネル上に配置した際に、違和感なく表示を視認することができる。
また、メッシュパターンは、曲線を組み合わせたものにより構成してもよく、例えば、円弧を組み合わせて、円または楕円の格子状のセルとしてもよい。円弧としては、例えば、９０°の円弧、１８０°の円弧を用いることができる。
メッシュ電極の場合、第１電極線３５および第２電極線４３を構成する金属細線の線幅は５．０μｍ以下であることが好ましく、線幅は、例えば、１．０μｍ以上５．０μｍ以下である。線幅が上述の範囲であれば、低抵抗、かつ線見えが抑制されたものを比較的容易に形成できる。
【００５５】
また、電極の構成としては、メッシュ電極以外に図１８〜図２０に示す構成でもよい。
図１８は本発明の実施形態のタッチパネル用導電性シートの第１電極層の第５の例を示す模式図である。図１９は本発明の実施形態のタッチパネル用導電性シートの第２電極層の第５の例を示す模式図である。図２０は本発明の実施形態のタッチパネル用導電性シートの第１電極層の第５の例と第２電極層の第５の例とを重ねた状態を示す模式図である。
なお、図１８〜図２０おいて、図５〜図７に示す構成と同一構成物には同一符号を付して、その詳細な説明は省略する。図１８〜図２０、第１電極３４と第２電極４２が重なる交差部５９（図２参照）だけを示す。図１８に示す第１電極３４と図１９に示す第２電極４２とを重ねると、図２０に示すように菱形形状の格子５８が構成されメッシュ状になる。また、図１８〜図２０では、図示の都合上、線の太さを変えているが、線の太さは実際のものと関係はない。
【００５６】
図１８に示す第１電極３４は、第１電極線３５と、第１非接続線５０と、第１ダミー線５３とを有する。例えば、第１電極線３５は屈曲しており、第１電極線３５により囲まれた領域に第１非接続線５０が設けられている。隣接する第１電極３４間には第１電極線３５と絶縁された第１ダミー線５３が設けられている。
図１９に示す第２電極４２は、第２電極線４３と、第２非接続線５５と、第２ダミー線６０とを有する。例えば、第２電極線４３は屈曲しており、第２電極線４３により囲まれた領域に第２非接続線５５が設けられている。隣接する第２電極４２間には第２電極線４３と絶縁された第２ダミー線６０が設けられている。
第１非接続線５０の占有率Ｃ１と、第２非接続線の占有率Ｃ２とはＣ２＜Ｃ１を満たす。この場合、第１非接続線５０を増やすか、または第２非接続線５５を減らすことにより、Ｃ２＜Ｃ１を満たすことができる。
図１８に示す第１電極３４の第１電極線３５、第１非接続線５０および第１ダミー線５３の形状と、図１９に示す第２電極４２の第２電極線４３、第２非接続線５５および第２ダミー線６０の形状とは、第１電極３４と第２電極４２とを重ねた時に、例えば、図２０に示すように菱形形状の格子５８が構成されメッシュ状になり、かつ上述のようにＣ２＜Ｃ１を満たすことを条件にして適宜決定される。
【００５７】
また、電極の構成としては、図２１〜図２３に示す構成でもよく、図２４〜図２６に示す構成でもよい。
図２１は本発明の実施形態のタッチパネル用導電性シートの第１電極層の第６の例を示す模式図である。図２２は本発明の実施形態のタッチパネル用導電性シートの第２電極層の第６の例を示す模式図である。図２３は本発明の実施形態のタッチパネル用導電性シートの第１電極層の第６の例と第２電極層の第６の例とを重ねた状態を示す模式図である。
図２４は本発明の実施形態のタッチパネル用導電性シートの第１電極層の第７の例を示す模式図である。図２５は本発明の実施形態のタッチパネル用導電性シートの第２電極層の第７の例を示す模式図である。図２６は本発明の実施形態のタッチパネル用導電性シートの第１電極層の第７の例と第２電極層の第７の例とを重ねた状態を示す模式図である。
【００５８】
なお、図２１〜図２６において、図１８〜図２０に示す構成と同一構成物には同一符号を付して、その詳細な説明は省略する。図２１〜図２６は、第１電極３４と第２電極４２が重なる交差部５９（図２参照）だけを示す。
図２１に示す第１電極３４と図２２に示す第２電極４２とを重ねると、図２３に示すように菱形形状の格子５８が構成されメッシュ状になる。また、図２４に示す第１電極３４と図２５に示す第２電極４２とを重ねると、図２６に示すように菱形形状の格子５８が構成されメッシュ状になる。
なお、図２１〜図２３では、図示の都合上、線の太さを変えているが、線の太さは実際のものと関係はない。また、図２４〜図２６では、図示の都合上、線の太さを変えているが、線の太さは実際のものと関係はない。
【００５９】
図２１に示す第１電極３４と図２４に示す第１電極３４は、図１８に示す第１電極３４と基本的には同じ構成であり、第１非接続線５０の配置パターンおよび配置数が異なる。
図２２に示す第２電極４２と図２５に示す第２電極４２は、図１９に示す第２電極４２と基本的には同じ構成であり、第２非接続線５５の配置パターンおよび配置数が異なる。
【００６０】
上述のメッシュ電極以外の電極構成の電極においては、第１電極線３５、第１非接続線５０および第１ダミー線５３、ならびに第２電極線４３、第２非接続線５５および第２ダミー線６０は、線幅が１０μｍ以下であることが好ましい。また、第１電極線３５、第１非接続線５０および第１ダミー線５３、ならびに第２電極線４３、第２非接続線５５および第２ダミー線６０は、線幅が同じであり、かつ線幅が５μｍ以下であることがより好ましい。ここで、線幅が同じであるとは、上述のように±１０％の範囲内にあることである。なお、第１電極線３５、第１非接続線５０および第１ダミー線５３、ならびに第２電極線４３、第２非接続線５５および第２ダミー線６０の線幅は、いずれも平均値の値であり、線幅の測定方法は上述のとおりである。
【００６１】
また、第１電極線３５、第１非接続線５０および第１ダミー線５３、ならびに第２電極線４３、第２非接続線５５および第２ダミー線６０の厚みも、特に限定されるものではないが、０．００５〜１０μｍが好ましく、０．１〜１μｍであることが最も好ましい。厚みが上述の範囲であれば、低抵抗で、かつ耐久性に優れたものを比較的容易に形成できる。なお、線の厚みの測定方法は、上述のとおりである。
【００６２】
以下、タッチパネルの各部材について説明する。
まず、第１電極線、第１非接続線および第１ダミー線、ならびに第２電極線、第２非接続線および第２ダミー線について説明する。
＜第１電極線、第１非接続線および第１ダミー線、ならびに第２電極線、第２非接続線および第２ダミー線＞
上述の第１電極線３５、第１非接続線５０および第１ダミー線５３、ならびに第２電極線４３、第２非接続線５５および第２ダミー線６０は、電気導電性を有するものであり、例えば、上述のように金属細線により構成される。金属細線は、例えば、金属、または合金により構成され、銅、アルミニウムもしくは銀、またはそれらの合金により構成することができる。金属細線には、抵抗値の観点から銅または銀が含まれることが好ましい。また、金属細線は、金属粒子とバインダーが含有された、例えば、金属銀およびゼラチンまたはアクリルスチレン系ラテックス等の高分子バインダーが含有されたものでものよい。
【００６３】
金属細線は、上述の金属、または合金により構成されるものに限定されるものではなく、例えば、金属酸化物粒子、銀ペーストおよびは銅ペースト等の金属ペースト、ならびに銀ナノワイヤおよび銅ナノワイヤ等の金属ナノワイヤ粒子のいずれかを含むものであってもよい。
また、金属細線は、単層構造であっても、多層構造であってもよい。金属細線としては、例えば、酸窒化銅層と銅層と酸窒化銅層とが順次積層された構造、またはモリブデン（Ｍｏ）とアルミニウム（Ａｌ）とモリブデン（Ｍｏ）とが順次積層された構造とすることができる。
金属細線の反射率を小さくするために、金属細線の表面に硫化または酸化処理による黒化処理を施してもよい。さらには、金属細線を見えにくくする黒化層を設ける構成でもよい。黒化層は、例えば、金属細線の反射率を小さくするものである。黒化層は、窒化銅、酸化銅、酸窒化銅、ＡｇＯ、Ｐｄ、カーボンまたはその他の窒化物または酸化物等により構成することができる。黒化層は金属細線の視認側に配置、つまりタッチ面側に配置される。
【００６４】
次に、上述の第１電極線３５、第１非接続線５０および第１ダミー線５３、ならびに第２電極線４３、第２非接続線５５および第２ダミー線６０の製造方法について説明する。
＜製造方法＞
上述の第１電極線３５、第１非接続線５０および第１ダミー線５３、ならびに第２電極線４３、第２非接続線５５および第２ダミー線６０の製造方法は、透明絶縁基体３０等に線を形成することができれば、特に限定されるものではなく、特開２０１４−１５９６２０号公報および特開２０１２−１４４７６１号公報等に記載のめっき法、特開２０１２−６３７７号公報、特開２０１４−１１２５１２号公報、特開２０１４−２０９３３２号公報、特開２０１５−２２３９７号公報、特開２０１６−１９２２００号公報およびＷＯ２０１６／１５７５８５等に記載の銀塩法、特開２０１４−２９６１４号公報等に記載の蒸着法、ならびに特開２０１１−２８９８５号公報等に記載の導電性インクを用いた印刷法等が適宜利用可能である。
【００６５】
＜第１の周辺配線部および第２の周辺配線部＞
第１の周辺配線部３８および第２の周辺配線部４６に形成される第１の周辺配線３７および第２の周辺配線４５の線幅（ライン）は５０μｍ以下が好ましく、３０μｍ以下がより好ましく、１５μｍ以下が特に好ましい。第１の周辺配線３７および第２の周辺配線４５の間隔（スペース）は５０μｍ以下が好ましく、３０μｍ以下がより好ましく、１５μｍ以下が特に好ましい。線幅および間隔が上述の範囲であれば、第１の周辺配線部３８および第２の周辺配線部４６の領域を狭くできるので好ましい。
なお、第１の周辺配線３７および第２の周辺配線４５も、上述の線の製造方法により形成することができる。第１の周辺配線３７と第１電極３４とは、同一材料により同一工程において同時に形成できる。また第２の周辺配線４５と第２電極４２とは、同一材料により同一工程において同時に形成できる。
【００６６】
＜透明絶縁基体＞
透明絶縁基体３０、３１は、第１電極層３２および第２電極層４０を設けることができれば、その種類は特に限定されるものではない。透明絶縁基体３０、３１の材料としては、例えば、透明樹脂材料および透明無機材料等が挙げられる。
透明樹脂材料としては、具体的には、例えば、トリアセチルセルロース等のアセチルセルロース系樹脂、ポリエチレンテレフタレート（ＰＥＴ）、ポリエチレンナフタレート（ＰＥＮ）等のポリエステル系樹脂、ポリエチレン（ＰＥ）、ポリメチルペンテン、シクロオレフィンポリマー（ＣＯＰ）、シクロオレフィンコポリマー（ＣＯＣ）等のオレフィン系樹脂、ポリメチルメタクリレート等のアクリル系樹脂、ポリウレタン系樹脂、ポリエーテルサルホン、ポリカーボネート、ポリスルホン、ポリエーテル、ポリエーテルケトン、アクロニトリル、およびメタクリロニトリル等が挙げられる。透明樹脂材料の好ましい厚みは、２０〜２００μｍである。
透明無機材料としては、具体的には、例えば、無アルカリガラス、アルカリガラス、化学強化ガラス、ソーダ硝子、カリ硝子、鉛ガラス等の硝子、透光性圧電セラミックス（ＰＬＺＴ（チタン酸ジルコン酸ランタン鉛））等のセラミックス、石英、蛍石およびサファイア等が挙げられる。透明無機材料の好ましい厚みは、０．１〜１．３ｍｍである。
【００６７】
透明絶縁基体３０、３１の好適態様の１つとしては、大気圧プラズマ処理、コロナ放電処理、および紫外線照射処理からなる群から選択される少なくとも１つの処理が施された処理済基板が挙げられる。上述の処理が施されることにより、処理された透明絶縁基体３０の面にはＯＨ基等の親水性基が導入され、第１電極層３２および第２電極層４０と透明絶縁基体３０、３１との密着性がより向上する。上述の処理の中でも、第１電極層３２および第２電極層４０と透明絶縁基体３０、３１との密着性がより向上する点で、大気圧プラズマ処理が好ましい。
【００６８】
透明絶縁基体３０、３１の他の好適態様としては、第１電極層３２および第２電極層４０が設けられる面上に高分子を含む下地層を有することが好ましい。この下地層上に、第１電極層３２および第２電極層４０を形成することにより、第１電極層３２および第２電極層４０と透明絶縁基体３０との密着性がより向上する。
下地層の形成方法は特に限定されるものではないが、例えば、高分子を含む下地層形成用組成物を基板上に塗布して、必要に応じて加熱処理を施す方法が挙げられる。下地層形成用組成物には、必要に応じて、溶媒が含まれていてもよい。溶媒の種類は特に限定されるものではない。また、高分子を含む下地層形成用組成物として、ゼラチン、アクリル樹脂、ウレタン樹脂、または無機もしくは高分子の微粒子を含むアクリルスチレン系ラテックスを使用してもよい。
下地層の厚みは特に限定されるものではないが、第１電極層３２および第２電極層４０と透明絶縁基体３０との密着性がより優れる点で、０．０２〜２．０μｍが好ましく、０．０３〜１．５μｍがより好ましい。
なお、必要に応じて透明絶縁基体３０と第１電極層３２または第２電極層４０との間に他の層として、上述の下地層以外に、例えば、紫外線吸収層が設けられていてもよい。
また、必要に応じて以下の機能膜を形成してもよい。
【００６９】
＜保護層＞
透明な保護層を第１電極線３５、第２電極線４３上に形成してもよい。保護層としては、ゼラチン、アクリル樹脂、ウレタン樹脂、アクリルスチレン系ラテックス等の有機膜、および、二酸化シリコン等の無機膜を使用することができ、膜厚は、１０ｎｍ以上１００００ｎｍ以下であることが好ましい。
また、必要に応じて、保護層上に透明コート層を形成してもよい。透明コート層はアクリル樹脂、ウレタン樹脂等の有機膜が使用され、感知領域４８に形成され、膜厚は１μｍ以上１００μｍ以下である。
【００７０】
＜周辺配線絶縁膜＞
図２に示す第１の周辺配線３７、第２の周辺配線４５上に周辺配線のマイグレーション防止および周辺配線の腐食を防止する目的で、周辺配線絶縁膜を形成してもよい。周辺配線絶縁膜としてはアクリル樹脂、ウレタン樹脂等の有機膜が使用され、膜厚は１μｍ以上３０μｍ以下が好ましい。周辺配線絶縁膜は第１の周辺配線３７、第２の周辺配線４５のどちらか一方のみに形成してもよい。
【００７１】
本発明は、基本的に以上のように構成されるものである。以上、本発明のタッチパネルおよびタッチパネル用導電性シートについて詳細に説明したが、本発明は上述の実施形態に限定されず、本発明の主旨を逸脱しない範囲において、種々の改良または変更をしてもよいのはもちろんである。例えば、本発明の導電性シートは、フィルムの形態であってもよい。
【実施例】
【００７２】
以下に実施例を挙げて本発明の特徴をさらに具体的に説明する。以下の実施例に示す材料、試薬、使用量、物質量、割合、処理内容、処理手順等は、本発明の趣旨を逸脱しない限り適宜変更することができる。従って、本発明の範囲は以下に示す具体例により限定的に解釈されるべきものではない。
本実施例では、タッチパネルの構成に関し第１電極層および第２電極層の電極パターンおよびサイズを変えて、以下に示す実施例１〜実施例１０、実施例１１〜実施例１３および実施例２１〜実施例２４、ならびに比較例１、比較例２、比較例１１、比較例１２、比較例２１および比較例２２を作製し、それぞれについて感度、視認性およびモアレを評価した。
実施例１〜実施例１０、実施例１１〜実施例１３および実施例２１〜実施例２４、ならびに比較例１、比較例２、比較例１１、比較例１２、比較例２１および比較例２２について、第１電極層および第２電極層の電極パターンおよびサイズを下記表１に示す。なお、表１において「電極幅比」は、第１電極の電極幅Ｗ１と前記第２電極の電極幅Ｗ２との比（Ｗ１／Ｗ２）を示す。さらに感度、視認性およびモアレの評価結果を下記表１に示す。本実施例では、タッチパネルに図１に示す構成のタッチパネル１６を用いた。
以下、実施例１〜実施例１０、実施例１１〜実施例１３および実施例２１〜実施例２４、ならびに比較例１、比較例２、比較例１１、比較例１２、比較例２１および比較例２２について説明する。【００７３】
実施例１〜実施例１０は、第１電極層を図５に示す構成とし、第２電極層を図６に示す構成とした。図５に示す第１電極層と図６に示す第２電極層との組合せを第１パターンという。
実施例１１は、第１電極層を図９に示す構成とし、第２電極層を図１０に示す構成とした。図９に示す第１電極層と図１０に示す第２電極層との組合せを第２パターンという。
実施例１２は、第１電極層を図１２に示す構成とし、第２電極層を図１３に示す構成とした。図１２に示す第１電極層と図１３に示す第２電極層との組合せを第３パターンという。
実施例１３は、第１電極層を図１５に示す構成とし、第２電極層を図１６に示す構成とした。図１５に示す第１電極層と図１６に示す第２電極層との組合せを第４パターンという。
実施例２１は、第１電極層を図１８に示す構成とし、第２電極層を図１９に示す構成とした。図１８に示す第１電極層と図１９に示す第２電極層との組合せを第５パターンという。
実施例２２は、第１電極層を図２１に示す構成とし、第２電極層を図２２に示す構成とした。図２１に示す第１電極層と図２２に示す第２電極層との組合せを第６パターンという。
実施例２３および実施例２４は、第１電極層を図２４に示す構成とし、第２電極層を図２５に示す構成とした。図２４に示す第１電極層と図２５に示す第２電極層との組合せを第７パターンという。【００７４】
比較例１は、第１電極層を図３６に示す構成とし、第２電極層を図３７に示す構成とした。図３６に示す第１電極層と図３７に示す第２電極層との組合せを第１１パターンという。
比較例２は、第１パターンである。【００７５】
比較例１１は、第１電極層を図２７に示す構成とし、第２電極層を図２８に示す構成とした。図２７に示す第１電極層と図２８に示す第２電極層との組合せを第８パターンという。
ここで、図２７は比較例の第１電極の第１の例を示す模式図である。図２８は比較例の第２電極の第１の例を示す模式図である。図２９は比較例の第１電極の第１の例と第２電極の第１の例とを重ねた状態を示す模式図である。図２９に示すように、第１電極１１０と第２電極１１２とを重ねた状態では、格子５８が構成されメッシュ状になる。
図２７〜図２９において、図９〜図１１に示す構成と同一構成物には同一符号を付して、その詳細な説明は省略する。図２７〜図２９は、第１電極１１０と第２電極１１２が重なる交差部５９（図２参照）だけを示す。
図２７に示す第１電極１１０は、図９に示す第１電極３４に比して、第１非接続線５０の数が少ない点が異なる以外は、図９に示す第１電極３４と同じ構成である。図２８に示す第２電極１１２は、図１０に示す第２電極４２と同じ構成である。【００７６】
比較例１２は、第１電極層を図３０に示す構成とし、第２電極層を図３１に示す構成とした。図３０に示す第１電極層と図３１に示す第２電極層との組合せを第９パターンという。
ここで、図３０は比較例の第１電極の第２の例を示す模式図である。図３１は比較例の第２電極の第２の例を示す模式図である。図３２は比較例の第１電極の第２の例と第２電極の第２の例とを重ねた状態を示す模式図である。図３２に示すように、第１電極１１０と第２電極１１２とを重ねた状態では、格子５８が構成されメッシュ状になる。
図３０〜図３２において、図９〜図１１に示す構成と同一構成物には同一符号を付して、その詳細な説明は省略する。図３０〜図３２は、第１電極１１０と第２電極１１２が重なる交差部５９（図２参照）だけを示す。
図３０に示す第１電極１１０は、図９に示す第１電極３４と同じ構成である。
図３１に示す第２電極１１２は、図１０に示す第２電極４２に比して、第２非接続線５５が設けられておらず、第２非接続線５５に対応する位置に第２電極線４３が設けられている点が異なり、それ以外の構成は図１０に示す第２電極４２と同じ構成である。【００７７】
比較例２１は、第１電極層を図３３に示す構成とし、第２電極層を図３４に示す構成とした。図３３に示す第１電極層と図３４に示す第２電極層との組合せを第１０パターンという。
ここで、図３３は比較例の第１電極の第３の例を示す模式図である。図３４は比較例の第２電極の第３の例を示す模式図である。図３５は比較例の第１電極の第３の例と第２電極層の第３の例とを重ねた状態を示す模式図である。図３５に示すように、第１電極１１４と第２電極１１６とを重ねた状態では、格子５８が構成されメッシュ状になる。
図３３〜図３５において、図１８〜図２０に示す構成と同一構成物には同一符号を付して、その詳細な説明は省略する。図３３〜図３５は、第１電極１１４と第２電極１１６が重なる交差部５９（図２参照）だけを示す。また、図３３〜図３５では、図示の都合上、線の太さを変えているが、線の太さは実際のものと関係はない。
図３３に示す第１電極１１４は、図１８に示す第１電極３４に比して、第１の方向Ｄ１の中央にある第１電極線３５の構成、第２の方向Ｄ２に伸びる複数の第１電極線３５の間を電気的に接続する第１電極線３５のパターン、および第１非接続線５０の配置の数が多い点が異なり、それ以外の構成は図１８に示す第１電極３４と同じ構成である。
図３４に示す第２電極１１６は、図１９に示す第２電極４２に比して、第２非接続線５５の数が多い点が異なり、それ以外の構成は図１９に示す第２電極４２と同じ構成である。【００７８】
比較例２２は、第１電極層を図３４に示す構成とし、第２電極層を図３３に示す構成とした。図３４に示す第１電極層と図３３に示す第２電極層の組合せを第１０パターン（逆）という。
下記表１の「電極線パターン」の欄では、電極線が屈曲形状のものを「屈曲線」と記載し、電極線がメッシュ状のものを「メッシュ」と記載した。また、電極線の形状が複雑で、屈曲形状にもメッシュ状にも分類できないものについては「特殊」と記載した。【００７９】
実施例１〜実施例５、比較例１および比較例２は、いずれの線も線幅を６μｍとした。
実施例６〜実施例１０、実施例１１〜実施例１３および実施例２１〜実施例２４ならびに比較例１１、比較例１２、比較例２１および比較例２２は、いずれの線も線幅を３μｍとした。
タッチパネルの構成においては、カバー層として厚みが０．４ｍｍの強化ガラスを用いた。カバー層とタッチパネル用導電性シートとの間の透明層には、光学的に透明な粘着剤（ＯＣＡ、Optical Clear Adhesive、３Ｍ社製  ８１４６−４（製品番号）  厚み７５μｍ）を用いた。
第１電極層は、厚み３８ｎｍの酸窒化銅層と厚み５００ｎｍの銅層と厚み３８ｎｍの酸窒化銅層の積層構造の線を用いて構成した。
第２電極層は、厚み３８ｎｍの酸窒化銅層と厚み５００ｎｍの銅層と厚み３８ｎｍの酸窒化銅層の積層構造の線を用いて構成した。
透明絶縁基体には厚み５０μｍのシクロオレフィンポリマー（ＣＯＰ）基材を用いた。【００８０】
タッチパネルの製造方法について説明する。
透明絶縁基体として、厚さが５０μｍのシクロオレフィンポリマー基材（以下、単に基材という。）を準備した。基材の第１の面と第２の面に、塗液を用いて１．２μｍの厚さを有するアクリル樹脂からなる下地層を形成した。
そして、基材の第１の面の下地層の上に、スパッタ法を用いて３８ｎｍの厚さを有する下側酸窒化銅層を形成した。次に、下側酸窒化銅層の上に、スパッタ法を用いて５００ｎｍの厚さを有する銅層を形成した。さらに、銅層の上に、スパッタ法を用いて３８ｎｍの厚さを有する上側酸窒化銅層を形成し、酸窒化銅層と銅層と酸窒化銅層からなる第１導電層を形成した。
第１導電層と同様に基材の第２の面の下地層の上に、スパッタ法を用いて３８ｎｍの厚さを有する下側酸窒化銅層を形成した。次に、下側酸窒化銅層の上に、スパッタ法を用いて５００ｎｍの厚さを有する銅層を形成した。さらに、銅層の上に、スパッタ法を用いて３８ｎｍの厚さを有する上側酸窒化銅層を形成し、酸窒化銅層と銅層と酸窒化銅層からなる第２導電層を形成し、タッチパネル用導電性積層体を形成した。【００８１】
次に、タッチパネル用導電性積層体の第１導電層上と第２導電層上との両面にレジストを塗布し、タッチパネル用導電性積層体の両面から露光マスクを介して、露光し、現像することにより、両面にそれぞれ電極パターンと周辺配線パターンを有するレジストパターンを形成した。
次に、第２塩化鉄液をエッチング液とし、酸窒化銅層と銅層と酸窒化銅層からなる第１導電層および第２導電層をエッチングし、レジストを剥離液により剥離することにより、第１電極層と第２電極層とを形成し、タッチパネル用導電性シートを作製した。
露光マスクのパターンを、上述の第１パターン〜第１１パターンおよび第１０パターン（逆）のいずれかのパターンとすることにより、第１電極と第２電極の様々な電極線と非接続線のパターンを作製した。
作製したタッチパネル用導電性シートとカバー層とを上述の光学的に透明な粘着剤を用いて貼り合せ、コントローラと接続し、タッチパネルを作製した。【００８２】
感度は、以下のようにして評価した。
タッチパネルの表面のうち、予め設定した１万箇所の位置に順番にプローブロボットを使って、先端径が２ｍｍのスタイラスペンを接触させながら、各タッチ位置を検出した。そして、１万箇所の検出結果と、それに対応する設定値とを比較した。検出位置と設定位置の差ベクトルの絶対値が小さい方から数えて９９７３番目の値を用いて、以下の評価基準にて感度を評価した。
「Ａ」：上述の９９７３番目の値が１．０ｍｍ未満
「Ｂ」：上述の９９７３番目の値が１．０ｍｍ以上２．０ｍｍ未満
「Ｃ」：上述の９９７３番目の値が２．０ｍｍ以上
なお、評価「Ｃ」は先端径２ｍｍのスタイラスペンでは、誤検出が多く、使用上問題が有るレベルであり、評価「Ｂ」は誤検出が少なく使用上問題がないレベル、評価「Ａ」は、誤検出もなく、とても優れたレベルである。【００８３】
視認性は、以下のようにして評価した。
視認性については、被験者がタッチパネルを、距離３０ｃｍの位置から観察し、金属細線の視認性を評価した。視認性の評価基準は以下の通りとした。視認性については２０人の評価者により判定した。
「Ａ」：２０人中、１人も金属細線を認識できない。
「Ｂ」：２０人中、１人以上４人以下が金属細線を認識できた。
「Ｃ」：２０人中、５人以上１０人未満が金属細線を認識できた。
「Ｄ」：２０人中、１０人以上が金属細線を認識できた。
なお、評価「Ｄ」は実用上問題があるレベルであり、評価「Ｃ」以上が実用上問題ないレベル、評価「Ｂ」は優れたレベル、評価「Ａ」はとても優れたレベルである。【００８４】
モアレは、以下のようにして評価した。
モアレについては、タッチパネルを液晶表示モジュール上に配置し、液晶表示モジュールを緑色に点灯させた状態において、タッチパネルを観察して、タッチパネルにモアレが視認されるかを評価した。モアレの評価基準は以下の通りとした。モアレについては２０人の評価者により判定した。
「Ａ」：２０人中、１人もモアレを認識できない。
「Ｂ」：２０人中、１人以上４人以下がモアレを認識できた。
「Ｃ」：２０人中、５人以上１０人未満がモアレを認識できた。
「Ｄ」：２０人中、１０人以上がモアレを認識できた。
なお、評価「Ｄ」は実用上問題があるレベルであり、評価「Ｃ」以上が実用上問題ないレベル、評価「Ｂ」は優れたレベル、評価「Ａ」はとても優れたレベルである。【００８５】
【表１】
0006518384.tif 000002
【００８６】
表１に示すように、電極線パターンが屈曲線の実施例１〜実施例１０ならびに比較例１および比較例２では、実施例１〜実施例１０は、比較例１および比較例２に比して感度の評価が良好であった。また、実施例１〜実施例４および実施例６〜実施例１０は、（（Ａ１＋Ｂ１）／Ｅ１）／（（Ａ２＋Ｂ２）／Ｅ２）の値が好ましい範囲にあり、視認性の評価およびモアレの評価も良好であった。実施例５は、（（Ａ１＋Ｂ１）／Ｅ１）／（（Ａ２＋Ｂ２）／Ｅ２）の値が好ましい範囲を外れており、視認性の評価およびモアレの評価が劣った。
電極線がメッシュ状の実施例１１〜実施例１３ならびに比較例１１および比較例１２では、実施例１１〜実施例１３は、比較例１１および比較例１２に比して感度の評価が良好であった。また、実施例１１〜実施例１３は、（（Ａ１＋Ｂ１）／Ｅ１）／（（Ａ２＋Ｂ２）／Ｅ２）の値が好ましい範囲にあり、視認性の評価およびモアレの評価も良好であった。
電極線の形状が複雑な実施例２１〜実施例２４ならびに比較例２１および比較例２２では実施例２１〜実施例２４は、比較例２１および比較例２２に比して感度の評価が良好であった。実施例２１〜実施例２３は、（（Ａ１＋Ｂ１）／Ｅ１）／（（Ａ２＋Ｂ２）／Ｅ２）の値が好ましい範囲にあり、視認性の評価およびモアレの評価も良好であった。
実施例２４は、（（Ａ１＋Ｂ１）／Ｅ１）／（（Ａ２＋Ｂ２）／Ｅ２）の値が好ましい範囲を外れており、視認性の評価は「Ｂ」であった。【００８７】
なお、他の態様を付記すると以下の通りである。
第１電極層と第２電極層とを有する導電性部材であって、
前記第１電極層と前記第２電極層とが、絶縁状態で対向して配置され、
前記第１電極層は、複数の第１電極を備え、複数の前記第１電極は、第１の方向に沿って間隔をあけて配置され、かつ前記第１の方向に直交する第２の方向に延びるものであり、
前記第１電極は、複数の第１電極線と、複数の前記第１電極線が電気的に接続される第１パッドと、前記第１電極線と電気的に接続されていない複数の第１非接続線とを有し、
前記第２電極層は、複数の第２電極を備え、複数の前記第２電極は、前記第２の方向に沿って間隔をあけて配置され、かつ前記第１の方向に延びるものであり、
前記第２電極は、複数の第２電極線と、複数の前記第２電極線が電気的に接続される第２パッドと、前記第２電極線と電気的に接続されていない複数の第２非接続線とを有しており、
前記第１電極内の前記第１非接続線の合計面積をＡ１とし、前記第１電極内の前記第１電極線の合計面積をＢ１とし、前記第１電極内の前記第１非接続線の占有率をＣ１とするとき、Ｃ１＝Ａ１／（Ａ１＋Ｂ１）であり、
前記第２電極内の前記第２非接続線の合計面積をＡ２とし、前記第２電極内の前記第２電極線の合計面積をＢ２とし、前記第２電極内の前記第２非接続線の占有率をＣ２とするとき、Ｃ２＝Ａ２／（Ａ２＋Ｂ２）であり、
Ｃ２＜Ｃ１である前記第１電極と前記第２電極とを、それぞれ少なくとも１つ有することを特徴とする導電性部材。
【符号の説明】
【００８８】
１０  タッチパネル用導電性シート
１２  カバー層
１２ａ  表面
１３  タッチセンサ
１４  コントローラ
１５  透明層
１６  タッチパネル
１８  透明層
２０  表示パネル
３０、３１  透明絶縁基体
３０ａ、３１ａ  表面
３０ｂ、３１ｂ  裏面
３０ｃ  一辺
３２  第１電極層
３４  第１電極
３５  第１電極線
３５ａ  直線部
３５ｂ  屈曲部
３６  第１パッド
３７  第１の周辺配線
３８  第１の周辺配線部
３９  端子
４０  第２電極層
４２  第２電極
４３  第２電極線
４４  第２パッド
４５  第２の周辺配線
４６  第２の周辺配線部
４７  端子
４８  感知領域
４９  透明接着層
５０  第１非接続線
５３  第１ダミー線
５５  第２非接続線
５８  格子
５９  交差部
６０  第２ダミー線
１００  第１電極層
１０２  第１電極
１０４  第２電極層
１０６  第２電極
１１０  第１電極
１１２  第２電極
１１４  第１電極
１１６  第２電極
３００  透明絶縁部材
Ｄ１  第１の方向
Ｄ２  第２の方向
Ｄｎ  垂直な方向
Ｌｍ  電極長さ
Ｌｎ  電極長さ
Ｗ１  電極幅
Ｗ２  電極幅
ｐ  ピッチ
θ  角度
【図１】
0006518384.tif 000003
【図２】
0006518384.tif 000004
【図３】
0006518384.tif 000005
【図４】
0006518384.tif 000006
【図５】
0006518384.tif 000007
【図６】
0006518384.tif 000008
【図７】
0006518384.tif 000009
【図８】
0006518384.tif 000010
【図９】
0006518384.tif 000011
【図１０】
0006518384.tif 000012
【図１１】
0006518384.tif 000013
【図１２】
0006518384.tif 000014
【図１３】
0006518384.tif 000015
【図１４】
0006518384.tif 000016
【図１５】
0006518384.tif 000017
【図１６】
0006518384.tif 000018
【図１７】
0006518384.tif 000019
【図１８】
0006518384.tif 000020
【図１９】
0006518384.tif 000021
【図２０】
0006518384.tif 000022
【図２１】
0006518384.tif 000023
【図２２】
0006518384.tif 000024
【図２３】
0006518384.tif 000025
【図２４】
0006518384.tif 000026
【図２５】
0006518384.tif 000027
【図２６】
0006518384.tif 000028
【図２７】
0006518384.tif 000029
【図２８】
0006518384.tif 000030
【図２９】
0006518384.tif 000031
【図３０】
0006518384.tif 000032
【図３１】
0006518384.tif 000033
【図３２】
0006518384.tif 000034
【図３３】
0006518384.tif 000035
【図３４】
0006518384.tif 000036
【図３５】
0006518384.tif 000037
【図３６】
0006518384.tif 000038
【図３７】
0006518384.tif 000039
【図３８】
0006518384.tif 000040